(57)【特許請求の範囲】
【請求項１】
外装ケースと、該外装ケースに収納された電子モジュールと、該電子モジュールの内部から前記外装ケースの外部に突出する外部操作部材と、前記電子モジュールに装着された導通材からなる弾性部材とを有し、
前記弾性部材は、前記外部操作部材に弾圧する第１接触部と、前記外装ケースに弾圧する第２接触部とを備え、前記外部操作部材から侵入した静電気が前記弾性部材を介して前記外装ケースに抜けるように構成されており、前記第２接触部が前記外装ケースから離れた状態においては前記第１接触部が前記外部操作部材から離れるように構成されていることを特徴とする外部操作部材を備えた機器。
【請求項２】
請求項１において、前記弾性部材は、前記外部操作部材上に張り出した細幅状の延長形状を備えていることを特徴とする外部操作部材を備えた機器。
【請求項３】
請求項１または請求項２において、前記外装ケースは、開口部を備えたケース体と、該ケース体の開口部を封鎖する蓋部材とから構成され、前記第２接触部は蓋部材の内面に接触するように構成されていることを特徴とする外部操作部材を備えた機器。
【請求項４】
請求項３において、前記蓋部材は前記ケース体に対して螺合によって取り付けられるように構成され、前記弾性部材は、前記蓋部材の前記ケース体への着脱時における回転方向に向いた延長形状を備えていることを特徴とする外部操作部材を備えた機器。
【請求項５】
請求項１から請求項４までのいずれか１項において、前記外部操作部材はその軸線方向に移動可能に構成され、前記第１接触部は、前記外部操作部材に対する接触面の前記軸線方向の両端部において曲面状の角部を有することを特徴とする外部操作部材を備えた機器。
【請求項６】
請求項１から請求項３までのいずれか１項において、前記外部操作部材はその軸線方向に移動可能に構成され、前記弾性部材は前記外部操作部材の軸線方向に伸びるように構成されていることを特徴とする外部操作部材を備えた機器。
【請求項７】
請求項１から請求項６までのいずれか１項において、前記機器は計時装置であることを特徴とする外部操作部材を備えた機器。
【請求項８】
請求項７において、前記外部操作部材は巻真であることを特徴とする外部操作部材を備えた機器。
【発明の詳細な説明】
【０００１】
【発明の属する技術分野】
本発明は外部操作部材を備えた機器に係り、特に、外部操作部材を備えた計時装置として好適な構造に関する。
【０００２】
【従来の技術】
一般に、計時装置においては、計時装置の計時設定（時刻設定やアラーム設定など）を行ったり、計時装置に複数設けられた機能を切り換えるモード切換を行ったりするために、巻真、操作スイッチ、操作ボタンなどの外部操作部材が設けられている。
【０００３】
この場合、操作時などにおいて外部操作部材に静電気が印加されたり、或いは既に静電気が帯電している場合、この静電気により計時装置の内部に配置された電子部品などに大きな電圧が加わったり大電流が流れたりし、電子部品が電気的に破壊されてしまうという問題点がある。このため、例えば腕時計の場合には、巻真からの静電気を複数の内蔵部品を介して外装ケース（胴や裏蓋など）に逃がすようにしている。例えばアナログ式の電子腕時計においては、巻真に連結されているオシドリやカンヌキを介して巻真を回路押さえ板に導通させ、回路押さえ板の一部を外装ケースに圧接させた導通経路によって、巻真に帯電した静電気を外装ケースに逃がすようにしている。
【０００４】
【発明が解決しようとする課題】
しかしながら、上記従来の腕時計においては、導通経路として巻真、オシドリ、カンヌキ、回路押さえ板などからなる複数の部品を用いて静電気を逃がすようにしていることにより、各部品間の接触抵抗などによって導通経路の抵抗値が高くなり、静電気を良好に逃がすことができず、しかも、上記の導通経路においては各部品の間に接触圧の変化する接触部や摺動部が存在するために、導通経路の抵抗値が不安定になり、静電気を確実に逃がすことができないという問題点がある。このため、静電気が導通経路を通過せず、時計内部の電子回路に流れてしまったり、或いは、時計内において放電が発生して電気ノイズが生じるなど、しばしば電子回路などに悪影響を及ぼすことがあった。
【０００５】
そこで本発明は上記問題点を解決するものであり、その課題は、外部操作部材を備えた機器において、抵抗値が低く、且つ、安定した導通経路を構成することによって、静電気を充分且つ確実に逃がすことのできる構造を提供しようとするものである。
【０００６】
【課題を解決するための手段】
上記課題を解決するために本発明の外部操作部材を備えた機器は、外装ケースと、該外装ケースに収納された電子モジュールと、該電子モジュールの内部から前記外装ケースの外部に突出する外部操作部材と、前記電子モジュールに装着された導通材からなる弾性部材とを有し、前記弾性部材は、前記外部操作部材に弾圧する第１接触部と、前記外装ケースに弾圧する第２接触部とを備え、前記外部操作部材から侵入した静電気が前記弾性部材を介して前記外装ケースに抜けるように構成されており、前記第２接触部が前記外装ケースから離れた状態においては前記第１接触部が前記外部操作部材から離れるように構成されていることを特徴とする。
【０００７】
この発明によれば、電子モジュールに装着された導通材からなる弾性部材に、外部操作部材に弾圧する第１接触部と、外装ケースに弾圧する第２接触部とを備えたので、外部操作部材から静電気を逃がすための導通経路を構成するために別部品を設ける必要がないとともに、外部操作部材から弾性部材のみを介して静電気を逃がすことができるので、導通抵抗も低く、しかも安定させることができるため、静電気の回り込みなどが発生しにくく、充分且つ確実に静電気を逃がすことができる。したがって、機器内部の電子モジュールなどの各部に静電気による影響を与えにくくすることができ、特に、電子モジュール内に配置された電子部品の損傷を防止することができる。
さらに、電子モジュールを外装ケース内に収容しない状態では第１接触部が外部操作部材に接触しないので、外部操作部材の着脱作業などの組立作業やメンテナンス作業を容易に行うことができる。
【０００８】
なお、上記の電子モジュールには、回路基板と、この回路基板を押圧する導電性の基板押さえ部材とを設け、基板押さえ部材を前記弾性部材として構成し、基板押さえ部材において、外部操作部材に接触する第１接触部及び前記外装ケースに接触する第２接触部とを備えた弾性変形可能な弾性領域を一体に設けることが望ましい。
【００１１】
上記各発明において、前記弾性部材は、前記外部操作部材上に張り出した細幅状の延長形状を備えていることが好ましい。
【００１２】
この発明によれば、弾性部材が外部操作部材上に張り出した細幅状の延長形状を備えていることにより、弾性部材に外部操作部材及び外装ケースに対する充分な圧接力を発揮するための弾性及び可撓性を容易に付与することが可能になるとともに、静電気を逃がすための導通経路を限定して電子モジュールの他の部分に与える影響を少なくすることができる。
【００１３】
上記各発明において、前記外装ケースは、開口部を備えたケース体と、該ケース体の開口部を封鎖する蓋部材とから構成され、前記第２接触部は蓋部材の内面に接触するように構成されていることが好ましい。
【００１４】
この発明によれば、ケース体に内部部品を収容して蓋部材を取り付けることによって内部部品を封入できる。特に、請求項３の構造においては、蓋部材を取り付けるまで第１接触部が外部操作部材に接触しないようになっているため、外部操作部材の取付け、取り外しが容易に行える。
【００１５】
この場合、前記蓋部材は前記ケース体に対して螺合によって取り付けられるように構成され、前記弾性部材は、前記蓋部材の前記ケース体への着脱時における回転方向に向いた延長形状を備えていることが望ましい。
【００１６】
この発明によれば、弾性部材が蓋部材の回転方向に向いた延長形状を備えていることにより、蓋部材をケース体に取り付ける際に回転させた場合、弾性部材には蓋部材に接触する第２接触部から回転方向の応力を受けるが、弾性部材が回転方向に向いた延長形状に形成されているために回転方向への弾性部材の変形が生じにくいので、第１接触部及び第２接触部の圧接状態を確実に得ることができる。
【００１７】
上記各発明において、前記外部操作部材はその軸線方向に移動可能に構成され、前記第１接触部は、前記外部操作部材に対する接触面の前記軸線方向の両端部において曲面状の角部を有することが好ましい。
【００１８】
この発明によれば、第１接触部に曲面状の角部が形成されていることにより、外部操作部材が軸線方向に移動しても弾性部材が引っかかりにくいため、外部操作部材の移動方向への弾性部材の変形を防止できる。
【００１９】
上記各発明において、前記外部操作部材はその軸線方向に移動可能に構成され、前記弾性部材は前記外部操作部材の軸線方向に伸びるように構成されていることが好ましい。
【００２０】
この発明によれば、外部操作部材の軸線方向に弾性部材が伸びるように形成されていることにより、外部操作部材がその軸線方向に移動しても、弾性部材を変形しにくく構成することができる。
【００２１】
上記各発明において、前記機器は計時装置であることが好ましい。計時装置としては、置き時計、懐中時計、腕時計、ストップウォッチ、各種タイマーなどがあり、これらは、通常、外部操作部材として、巻真、操作スイッチ、押圧ボタンなどを供え、また、電子モジュールとしてムーブメント（或いはその内部の回路基板、モータ、太陽電池、二次電池、電池、集積回路などからなる内部回路）を備えている。この場合には特に、時計内部のムーブメントに用いられる地板が合成樹脂製である場合に静電気対策として大きな効果を発揮する。この場合の外装ケースとしては、胴ケースと裏蓋からなるものがあり、裏蓋を上記第２接触部に圧接させるように構成することが好ましい。また、計時装置としては、上記回路基板上に集積回路を実装してなるものである場合、特に本願の静電気防止対策が効果的である。
【００２２】
この場合、前記外部操作部材は巻真であることが望ましい。この場合には、巻真は外装ケース内に収容された時計ムーブメントに取り付けられ、外装ケースに対して軸線方向に出没可能に構成されるとともに、軸線周りに回転可能に構成される。このため、巻真の外周面に上記の第１接触部を圧接させることによって確実に静電気を逃がすことができる。
【００２３】
【発明の実施の形態】
以下、本発明に係る計時装置の実施形態について詳細に説明する。
【００２４】
図１は本発明に係る実施形態の計時装置である電子腕時計のムーブメントを裏蓋側から見た概略透視平面図であり、図２は、本実施形態の巻真の近傍を図１のＩＩ−ＩＩ線に沿って切断した状態により示す概略断面図である。
【００２５】
本実施形態の電子腕時計は太陽電池付き腕時計であり、ムーブメント１０の文字板側には地板１３が配置されている。地板１３は合成樹脂製であり、本実施形態の構造は、このような地板１３が絶縁体により構成されている場合に特に有効なものである。この地板１３の裏蓋側に図１に一点鎖線にて示すフレキシブル基板からなる回路基板１６が配置されている。回路基板１６のさらに裏蓋側には、図１に破線で示す金属製の基板押さえ部材である回路押さえ板１７が配置され、回路基板１６及び回路押さえ板１７は地板１３に対して固定部１８，１９によってネジ止め固定されている。
【００２６】
ムーブメント１０には、太陽電池の発電電力を蓄積するキャパシタや化学二次電池などからなる二次電池１１が装着され、この二次電池１１の負極は図１に点線で示すリード端子板１２を介して接点端子部１２ｂと接点パターン部１６ｂとの導通により回路基板１６に導電接続されている。ここで、回路押さえ板１７の延長部１７ｂは回路基板１６の接点パターン部１６ｂを接点端子部１２ｂに押圧している。また、二次電池１１の正極は回路押さえ板１７の電源端子１７ａに圧接され、この回路押さえ板１７を介して図示しない外装ケース（胴又は裏蓋）に接地されている。
【００２７】
集積回路２０は時計用回路を内蔵し、水晶振動子２１のクロック信号に従って計時動作を行う。また、集積回路２０の制御によって計時用ステップモータ２２が動作し、ステップモータ２２の動作によって時計輪列２３を介して図示しない指針が駆動されるように構成されている。金属製の巻真２４は、軸線方向に出没させることにより時計輪列２３に対して係脱自在に構成され、時計輪列２３に係合している状態で軸線周りに回転させることによって図示しない指針を手動にて駆動できるように構成されている。また、巻真２４の出没動作によって回路基板１６上の切換回路が切り換えられ、時計の表示モードを変更することができるようになっている。なお、導電接続端子１６ｃ，１６ｄは太陽電池基板との導電接続用の端子部である。
【００２８】
回路押さえ板１７には、上記の巻真２４の裏蓋側に張出し、バネ性を有する（弾性変形可能な）平面視が細幅帯状の張出領域１７ｅが設けられている。この張出領域１７ｅには、基部寄り部分にて文字板側に屈曲することにより巻真２４の外周面に接触する巻真接触部１７ｆが形成され、この巻真接触部１７ｆにおいて逆に裏蓋側に屈曲して図２に示す裏蓋２５の内面に接触する裏蓋接触部１７ｇが形成されている。この張出領域１７ｅは、ムーブメント１０を胴２６の内部に設置し、裏蓋２５を装着しない状態においては、図２に一点鎖線にて示すように、裏蓋接触部１７ｇが制約を受けないために回路押さえ板１７の弾性により図示上方に大きく突出するように構成されている。また、この状態では、張出領域１７ｅの巻真接触部１７ｆは巻真２４に接触しないように構成されている。ここで、裏蓋２５を図示しない胴に装着すると、裏蓋接触部１７ｇは裏蓋２５の内面に圧接された状態で図示下方に押さえ込まれ、同時に巻真接触部１７ｆは巻真２４の外周面に圧接される。なお、図２に二点鎖線にて示すのは、巻真２４をムーブメント１０に装着してない状態で裏蓋を取り付けた場合の張出領域１７ｅの形状を示すものである。なお、裏蓋２５、胴２６は、金属からなるか、プラスチック材中に導電物質を混入するか、プラスチック材の内面に金属板を配設（配置）するなどの導電性を有するものである。
【００２９】
図３は、裏蓋側から見た、上記の巻真２４と回路押さえ板１７の接触構造を示す拡大部分平面図であり、図４は、巻真２４と回路押さえ板１７の接触構造を示す拡大部分側面図である。張出領域１７ｅは細幅の帯状に形成されており、巻真接触部１７ｆの巻真２４に接触している側の表面においては、図４に示すように巻真２４の軸線方向に見た両角部分が曲面上に加工された曲面端部１７ｆ−１，１７ｆ−２が形成されている。この曲面端部１７ｆ−１，１７ｆ−２によって、巻真２４がその軸線方向に操作されて図４の左右方向に移動する場合でも、張出領域１７ｅの巻真接触部１７ｆは巻真２４の外周面に引っかかることなく、スムーズに摺動するようになっている。なお、図３に示す開口部１７ｈは、固定部１８の固定ネジを挿通するためのものである。
【００３０】
この実施形態では、ムーブメント１０を収容した図示しない胴に対して裏蓋２５を取り付けることにより、回路押さえ板１７の張出領域１７ｅに形成された裏蓋接触部１７ｇが裏蓋２５の内面に圧接された状態で押し込まれ、張出領域１７ｅに形成された巻真接触部１７ｆが巻真２４の外周面に圧接されるように構成されているため、巻真２４から静電気が侵入しても、張出領域１７ｅを介して裏蓋２５へと逃がすことができるため、時計内部を静電気から守ることができる。この場合、静電気は張出領域１７ｅのみを介して裏蓋２５へと向かうので、導通経路の抵抗は従来よりも小さくなり、集積回路２０の故障や誤動作、或いは内部放電などを防止できる。また、巻真２４から時計内部を経ずにすぐに外装へ逃がすことができるので、万一大きな静電気が巻真に与えられても、時計内部に影響を与えることが少ない。さらに、張出領域１７ｅは回路押さえ板１７の一部として形成されているので、部品点数の増大を招くことがない。特に、裏蓋２５を装着していない状態では、張出領域１７ｅは巻真２４に対して離反するように構成されているので、巻真の着脱作業が張出領域１７ｅによって妨げられることがないから、組立やメンテナンスが容易になるとともに、巻真２４の着脱作業時に張出領域１７ｅを変形させてしまう恐れがなくなる。さらに、張出領域１７ｅは巻真２４の外周面に対してその回転方向に向けて延長した構造にて接触しているので、巻真２４が回転しても張出領域１７ｅはスムーズに摺動し、導通抵抗値が不安定になることが少なく、確実に静電気を逃がすことができる。
【００３１】
（変形例１）
次に、図５及び図６を参照して、本発明に係る実施形態の変形例について説明する。この変形例は、上記と同様の電子腕時計において、上記と同様の回路押さえ板１７’を備えており、この回路押さえ板１７’には、ムーブメントの中心側に湾曲した円弧状の張出領域１７’ｅが形成されている。この張出領域１７’ｅは、その張出方向に沿って、上記実施形態の張出領域１７ｅとほぼ同様の巻真接触部１７’ｆ及び裏蓋接触部１７’ｇとを備えている。なお、図５に示す開口部１７’ｈは図１に示す固定部１８の固定ネジを受け入れるためのものである。
【００３２】
この変形例では、張出領域１７’ｅが図示しない裏蓋を胴に螺合させるときの回転方向とほぼ等しい方向に伸びるように円弧状に形成されているため、裏蓋の取付時及び取り外し時において裏蓋を回転させた場合、張出領域１７’ｅの先端部に形成された裏蓋接触部１７’ｇが裏蓋から裏蓋の回転方向に応力を受けても、張出領域１７’ｅがその延長方向にのみ力を受けるので、張出領域１７’ｅが変形しにくくなるという効果を奏する。
【００３３】
（変形例２）
次に、図７及び図８を参照して、本発明に係る別の変形例について説明する。この変形例においては、回路押さえ板２７が取付固定されている。この回路押さえ板２７には、巻真２４の軸線方向に伸びる張出領域２７ｅが形成されており、この張出領域２７ｅには、巻真２４に接触する巻真接触部２７ｆと、図示しない裏蓋内面に接触する裏蓋接触部２７ｇとが設けられている。なお、開口部２７ｈは上記と同様に固定部１８において固定ネジを受け入れるためのものである。
【００３４】
この変形例においては、張出領域２７ｅが巻真２４の軸線方向に伸びるように構成されているため、巻真２４の軸線方向の出没動作に対して発生する摺動抵抗が常に張出領域２７ｅの延長方向に加わることから、巻真２４の出没動作によっては張出領域２７ｅが変形しにくいという効果を奏する。
【００３５】
尚、本発明の計時装置は、上述の図示例にのみ限定されるものではなく、本発明の要旨を逸脱しない範囲内において種々変更を加え得ることは勿論である。
【００３６】
例えば、上記の実施形態及びその変形例においては、いずれも、回路押さえ板から張り出した張出領域が片持ち支持されているが、両端が回路押さえ板に繋がった形状とすることによって、張出領域を両持ち状に支持してもよい。また、張出領域においては、基部から見てまず巻真接触部が形成され、その先に裏蓋接触部が形成されているが、その逆に、裏蓋接触部が形成され、その先に巻真接触部が形成されてもよい。さらに、上記実施形態では巻真に対する導通経路を構成しているが、巻真以外の他の外部操作部材、例えば、操作スイッチ、押圧ボタンなどについてもそのまま適用できる。そして、回路押さえ板は裏蓋に接触しているが、胴ケースなどの外装ケースの他の部分に導電接触させてもよい。
【００３７】
【発明の効果】
以上、説明したように本発明によれば、電子モジュールの導通材からなる弾性部材に、外部操作部材に接触する第１接触部と、外装ケースに接触する第２接触部とを備えた弾性領域を一体に形成したので、外部操作部材から静電気を逃がすための導通経路を構成するために別部品を設ける必要がないとともに、外部操作部材から弾性部材のみを介して静電気を逃がすことができるので、導通抵抗も低く、しかも安定させることができるため、静電気の回り込みなどが発生しにくく、充分且つ確実に静電気を逃がすことができる。したがって、機器内部における各部に静電気による影響を与えにくくすることができ、特に、電子モジュール内の電子部品の損傷を防止することができる。
【図面の簡単な説明】
【図１】本発明に係る実施形態である電子腕時計のムーブメントの構造を示す、裏蓋側から見た平面透視図である。
【図２】図１のＩＩ−ＩＩ線に沿った断面構造を示す概略断面図である。
【図３】同実施形態の巻真と回路押さえ板との関係を示す部分平面図である。
【図４】同実施形態の巻真と回路押さえ板との関係を示す部分側面図である。
【図５】同実施形態の変形例の巻真と回路押さえ板との関係を示す部分平面図である。
【図６】同実施形態の変形例の巻真と回路押さえ板との関係を示す部分側面図である。
【図７】同実施形態のさらに別の変形例の巻真と回路押さえ板との関係を示す部分平面図である。
【図８】同実施形態のさらに別の変形例の巻真と回路押さえ板との関係を示す部分側面図である。
【図１】
0003584778.tif 000002
【図２】
0003584778.tif 000003
【図３】
0003584778.tif 000004
【図４】
0003584778.tif 000005
【図５】
0003584778.tif 000006
【図６】
0003584778.tif 000007
【図７】
0003584778.tif 000008
【図８】
0003584778.tif 000009